(57)【要約】  本発明は、ＲＲＣ状態の制御方法、装置及びコンピュータ記憶媒体を開示し、前記方法は、端末デバイスがネットワークデバイスに第１のＲＲＣメッセージを送信することと、前記端末デバイスが前記ネットワークデバイスにより送信された第２のＲＲＣメッセージを受信することと、前記端末デバイスが前記第１の指示情報に基づいて、前記目標ＲＲＣ状態に移行することとを含み、前記第１のＲＲＣメッセージがＲＲＣ接続回復要求メッセージを含み、前記第２のＲＲＣメッセージに第１の指示情報が含まれ、前記第１の指示情報が前記端末デバイスの目標ＲＲＣ状態を示す。
2021520655.tif 000002
【特許請求の範囲】
【請求項１】
端末デバイスがネットワークデバイスに第１のＲＲＣメッセージを送信することと、
前記端末デバイスが前記ネットワークデバイスにより送信された第２のＲＲＣメッセージを受信することと、
前記端末デバイスが第１の指示情報に基づいて、目標ＲＲＣ状態に移行することとを含み、
前記第１のＲＲＣメッセージがＲＲＣ接続回復要求メッセージを含み、
前記第２のＲＲＣメッセージに第１の指示情報が含まれ、前記第１の指示情報が前記端末デバイスの目標ＲＲＣ状態を示す
ことを特徴とするＲＲＣ状態の制御方法。
【請求項２】
前記目標ＲＲＣ状態がＲＲＣ非アクティブ状態であり、前記第２のＲＲＣメッセージに前記ＲＲＣ非アクティブ状態に対応する構成情報が含まれない場合、前記端末デバイスが前記ＲＲＣ非アクティブ状態に移行した後、ローカルに記憶されたＲＲＣ非アクティブ状態に対応する構成情報を使用する
ことを特徴とする請求項１に記載のＲＲＣ状態の制御方法。
【請求項３】
前記目標ＲＲＣ状態がＲＲＣ非アクティブ状態であり、前記第２のＲＲＣメッセージに前記ＲＲＣ非アクティブ状態に対応する構成情報が含まれる場合、前記端末デバイスが前記ＲＲＣ非アクティブ状態に移行した後、前記第２のＲＲＣメッセージに含まれる前記ＲＲＣ非アクティブ状態に対応する構成情報を使用する
ことを特徴とする請求項１に記載のＲＲＣ状態の制御方法。
【請求項４】
前記ＲＲＣ非アクティブ状態に対応する構成情報は、
Ｉ−ＲＮＴＩ、ＲＡＮ通知エリア、ＲＡＮ  ＤＲＸ周期、周期的ＲＡＮ通知エリア更新のタイマのうちの少なくとも１つを含む
ことを特徴とする請求項２又は３に記載のＲＲＣ状態の制御方法。
【請求項５】
前記第２のＲＲＣメッセージは、ＲＲＣ接続回復メッセージ、ＲＲＣ接続リリースメッセージ、又は新たに定義されたＲＲＣメッセージを含む
ことを特徴とする請求項１〜４のいずれか１項に記載のＲＲＣ状態の制御方法。
【請求項６】
前記第１のＲＲＣメッセージにはＲＲＣ接続回復の原因指示情報が含まれ、前記ＲＲＣ接続回復の原因指示情報は、前記ネットワークデバイスが前記端末デバイスの接続回復過程での前記目標ＲＲＣ状態を確定するために用いられる
ことを特徴とする請求項１〜５のいずれか１項に記載のＲＲＣ状態の制御方法。
【請求項７】
前記目標ＲＲＣ状態は、ＲＲＣ接続状態、ＲＲＣ非アクティブ状態、又はＲＲＣアイドル状態である
ことを特徴とする請求項１〜６のいずれか１項に記載のＲＲＣ状態の制御方法。
【請求項８】
ネットワークデバイスが端末デバイスにより送信された第１のＲＲＣメッセージを受信することと、
前記端末デバイスが第１の指示情報に基づいて目標ＲＲＣ状態に移行するように、前記ネットワークデバイスが前記端末デバイスに第２のＲＲＣメッセージを送信することとを含み、
前記第１のＲＲＣメッセージがＲＲＣ接続回復要求メッセージを含み、前記第２のＲＲＣメッセージに第１の指示情報が含まれ、前記第１の指示情報が前記端末デバイスの目標ＲＲＣ状態を示す
ことを特徴とするＲＲＣ状態の制御方法。
【請求項９】
前記目標ＲＲＣ状態がＲＲＣ非アクティブ状態にある場合、前記第２のＲＲＣメッセージには前記ＲＲＣ非アクティブ状態に対応する構成情報が含まれなく、又は前記ＲＲＣ非アクティブ状態に対応する構成情報が含まれる
ことを特徴とする請求項８に記載のＲＲＣ状態の制御方法。
【請求項１０】
前記ＲＲＣ非アクティブ状態に対応する構成情報は、
Ｉ−ＲＮＴＩ、ＲＡＮ通知エリア、ＲＡＮ  ＤＲＸ周期、周期的ＲＡＮ通知エリア更新のタイマのうちの少なくとも１つを含む
ことを特徴とする請求項９に記載のＲＲＣ状態の制御方法。
【請求項１１】
前記第２のＲＲＣメッセージは、ＲＲＣ接続回復メッセージ、ＲＲＣ接続リリースメッセージ、又は新たに定義されたＲＲＣメッセージを含む
ことを特徴とする請求項８〜１０のいずれか１項に記載のＲＲＣ状態の制御方法。
【請求項１２】
前記第１のＲＲＣメッセージにはＲＲＣ接続回復の原因指示情報が含まれ、前記ＲＲＣ接続回復の原因指示情報は、前記ネットワークデバイスが前記端末デバイスの接続回復過程での前記目標ＲＲＣ状態を確定するために用いられる
ことを特徴とする請求項８〜１１のいずれか１項に記載のＲＲＣ状態の制御方法。
【請求項１３】
前記目標ＲＲＣ状態は、ＲＲＣ接続状態、ＲＲＣ非アクティブ状態、又はＲＲＣアイドル状態である
ことを特徴とする請求項８〜１２のいずれか１項に記載のＲＲＣ状態の制御方法。
【請求項１４】
ネットワークデバイスに第１のＲＲＣメッセージを送信するように構成される送信ユニットと、
前記ネットワークデバイスにより送信された第２のＲＲＣメッセージを受信するように構成される受信ユニットと、
第１の指示情報に基づいて、端末デバイスが目標ＲＲＣ状態に移行するように制御するように構成される制御ユニットとを含み、
前記第１のＲＲＣメッセージがＲＲＣ接続回復要求メッセージを含み、前記第２のＲＲＣメッセージに第１の指示情報が含まれ、前記第１の指示情報が前記端末デバイスの目標ＲＲＣ状態を示す
ことを特徴とするＲＲＣ状態の制御装置。
【請求項１５】
前記目標ＲＲＣ状態がＲＲＣ非アクティブ状態であり、前記第２のＲＲＣメッセージに前記ＲＲＣ非アクティブ状態に対応する構成情報が含まれない場合、前記端末デバイスが前記ＲＲＣ非アクティブ状態に移行した後、ローカルに記憶されたＲＲＣ非アクティブ状態に対応する構成情報を使用する
ことを特徴とする請求項１４に記載のＲＲＣ状態の制御装置。
【請求項１６】
前記目標ＲＲＣ状態がＲＲＣ非アクティブ状態であり、前記第２のＲＲＣメッセージに前記ＲＲＣ非アクティブ状態に対応する構成情報が含まれる場合、前記端末デバイスが前記ＲＲＣ非アクティブ状態に移行した後、前記第２のＲＲＣメッセージに含まれる前記ＲＲＣ非アクティブ状態に対応する構成情報を使用する
ことを特徴とする請求項１４に記載のＲＲＣ状態の制御装置。
【請求項１７】
前記ＲＲＣ非アクティブ状態に対応する構成情報は、
Ｉ−ＲＮＴＩ、ＲＡＮ通知エリア、ＲＡＮ  ＤＲＸ周期、周期的ＲＡＮ通知エリア更新のタイマのうちの少なくとも１つを含む
ことを特徴とする請求項１５又は１６に記載のＲＲＣ状態の制御装置。
【請求項１８】
前記第２のＲＲＣメッセージは、ＲＲＣ接続回復メッセージ、ＲＲＣ接続リリースメッセージ、又は新たに定義されたＲＲＣメッセージを含む
ことを特徴とする請求項１４〜１７のいずれか１項に記載のＲＲＣ状態の制御装置。
【請求項１９】
前記第１のＲＲＣメッセージにはＲＲＣ接続回復の原因指示情報が含まれ、前記ＲＲＣ接続回復の原因指示情報は、前記ネットワークデバイスが前記端末デバイスの接続回復過程での前記目標ＲＲＣ状態を確定するために用いられる
ことを特徴とする請求項１４〜１８のいずれか１項に記載のＲＲＣ状態の制御装置。
【請求項２０】
前記目標ＲＲＣ状態は、ＲＲＣ接続状態、ＲＲＣ非アクティブ状態、又はＲＲＣアイドル状態である
ことを特徴とする請求項１４〜１９のいずれか１項に記載のＲＲＣ状態の制御装置。
【請求項２１】
端末デバイスにより送信された第１のＲＲＣメッセージを受信するように構成される受信ユニットと、
前記端末デバイスが第１の指示情報に基づいて目標ＲＲＣ状態に移行するように、前記端末デバイスに２のＲＲＣメッセージを送信するように構成される送信ユニットとを含み、
前記第１のＲＲＣメッセージがＲＲＣ接続回復要求メッセージを含み、前記第２のＲＲＣメッセージに第１の指示情報が含まれ、前記第１の指示情報が前記端末デバイスの目標ＲＲＣ状態を示す
ことを特徴とするＲＲＣ状態の制御装置。
【請求項２２】
前記目標ＲＲＣ状態がＲＲＣ非アクティブ状態にある場合、前記第２のＲＲＣメッセージには前記ＲＲＣ非アクティブ状態に対応する構成情報が含まれなく、又は前記ＲＲＣ非アクティブ状態に対応する構成情報が含まれる
ことを特徴とする請求項２１に記載のＲＲＣ状態の制御装置。
【請求項２３】
前記ＲＲＣ非アクティブ状態に対応する構成情報は、
Ｉ−ＲＮＴＩ、ＲＡＮ通知エリア、ＲＡＮ  ＤＲＸ周期、周期的ＲＡＮ通知エリア更新のタイマのうちの少なくとも１つを含む
ことを特徴とする請求項２２に記載のＲＲＣ状態の制御装置。
【請求項２４】
前記第２のＲＲＣメッセージは、ＲＲＣ接続回復メッセージ、ＲＲＣ接続リリースメッセージ、又は新たに定義されたＲＲＣメッセージを含む
ことを特徴とする請求項２１〜２３のいずれか１項に記載のＲＲＣ状態の制御装置。
【請求項２５】
前記第１のＲＲＣメッセージにはＲＲＣ接続回復の原因指示情報が含まれ、前記装置は、さらに、
前記ＲＲＣ接続回復の原因指示情報に基づいて前記端末デバイスの接続回復過程での前記目標ＲＲＣ状態を確定するように構成される確定ユニットを含む
ことを特徴とする請求項２１〜２４のいずれか１項に記載のＲＲＣ状態の制御装置。
【請求項２６】
前記目標ＲＲＣ状態は、ＲＲＣ接続状態、ＲＲＣ非アクティブ状態、又はＲＲＣアイドル状態である
ことを特徴とする請求項２１〜２５のいずれか１項に記載のＲＲＣ状態の制御装置。
【請求項２７】
コンピュータ実行可能命令を記憶するコンピュータ記憶媒体であって、
プロセッサは、当該コンピュータ実行可能命令を実行して、請求項１〜１３のいずれか１項に記載の方法ステップを実行する
ことを特徴とするコンピュータ記憶媒体。
【発明の詳細な説明】
【技術分野】
【０００１】
本発明は、無線通信技術分野に関し、特に、無線リソース制御（ＲＲＣ、Ｒａｄｉｏ Ｒｅｓｏｕｒｃｅ Ｃｏｎｔｒｏｌ）状態の制御方法、装置及びコンピュータ記憶媒体に関する。
【背景技術】
【０００２】
第３世代パートナーシッププロジェクト( ３ＧＰＰ、３ｒｄ Ｇｅｎｅｒａｔｉｏｎ Ｐａｒｔｎｅｒｓｈｉｐ Ｐｒｏｊｅｃｔ )の国際標準団体は、人々がサービスに対する速度、遅延、高速移動性、エネルギー効率の追求、及び未来の生活のサービスの多様性、複雑性を満たすために、第５世代 ( ５Ｇ、５ｔｈ Ｇｅｎｅｒａｔｉｏｎ )の移動通信技術を開発し始めた。
【０００３】
５Ｇ移動通信技術の主な応用シーンは、エンハンスメント型移動ブロードバンド( ｅＭＢＢ、Ｅｎｈａｎｃｅ Ｍｏｂｉｌｅ Ｂｒｏａｄｂａｎｄ )、低遅延高信頼通信( ＵＲＬＬＣ、Ｕｌｔｒａ Ｒｅｌｉａｂｌｅ Ｌｏｗ Ｌａｔｅｎｃｙ Ｃｏｍｍｕｎｉｃａｔｉｏｎ )、大規模機器系通信( ｍＭＴＣ、ｍａｓｓｉｖｅ Ｍａｃｈｉｎｅ Ｔｙｐｅ Ｃｏｍｍｕｎｉｃａｔｉｏｎ )である。
【０００４】
５Ｇネットワーク環境では、エアポートシグナリングを低減し、無線接続を迅速に回復するために、データトラフィックを迅速に回復する目的で、新しいＲＲＣ状態、すなわちＲＲＣ非アクティブ化( ＲＲＣ＿ＩＮＡＣＴＩＶＥ )状態が定義される。この状態は、ＲＲＣアイドル( ＲＲＣ＿ＩＤＬＥ )状態およびＲＲＣ接続（ＲＲＣ＿ＣＯＮＮＥＣＴＥＤ )状態とは異なる。
【０００５】
ユーザデバイス( ＵＥ、Ｕｓｅｒ Ｅｑｕｉｐｍｅｎｔ )がＲＲＣ＿ＩＮＡＣＴＩＶＥ状態にあるとき、ネットワーク側は、専用シグナリングを介してＵＥに無線アクセスネットワーク( ＲＡＮ、Ｒａｄｉｏ Ａｃｃｅｓｓ Ｎｅｔｗｏｒｋ )のページングエリアを設定し、このＲＡＮページングエリアは、１つのセル又は複数のセルであり得る。ＵＥがこのエリア内を移動するとき、ネットワーク側に通知されることなく、アイドル（ｉｄｌｅ）での移動性挙動、すなわちセル選択や再選択規則に従う。ＵＥがＲＡＮ設定ページングエリアから他のエリアへ移動すると、ＵＥは、ＲＲＣ接続を回復するようにトリガされ、ＲＡＮ設定ページングエリアを再取得する。ＵＥに下りデータが到着すると、ＵＥのためにＲＡＮとコアネットワーク( ＣＮ、Ｃｏｒｅ Ｎｅｔｗｏｒｋ )との間の接続を維持する基地局(例えば、ｇＮＢ )は、ＲＡＮページングエリア内の全てのセルがページングメッセージをＵＥに送信することをトリガし、ＩＮＡＣＴＩＶＣＥ状態のＵＥがＲＲＣ接続を回復し、データ受信を可能にする。
【０００６】
したがって、ＵＥがＩＮＡＣＴＩＶＥ状態からＲＲＣ接続状態に移行することは、以下の３つの状態がある。
【０００７】
第１の状態として、ＵＥに下りデータが到着し、ネットワーク側がＲＡＮ側がページングを開始し、ＵＥが接続状態に入る。
【０００８】
第２の状態として、ＵＥが、周期的ＲＡＮ位置更新又はゾーン跨ぎ位置更新のようなＲＡＮ位置エリア更新を自ら開始することである。
【０００９】
第３の状態として、ＵＥが上りデータ送信要求をし、ＵＥに接続状態に入る。
【００１０】
現在、ネットワーク側のＵＥのＲＲＣ状態の制御は柔軟性に欠け、管理効率が低い。
【発明の概要】
【００１１】
本発明の実施例は、上記の技術課題を解決するために、ＲＲＣ状態の制御方法、装置及びコンピュータ記憶媒体を提供する。
【００１２】
本発明の実施例におけるＲＲＣ状態の制御方法は、
端末デバイスがネットワークデバイスに第１のＲＲＣメッセージを送信することと、
前記端末デバイスが前記ネットワークデバイスにより送信された第２のＲＲＣメッセージを受信することと、
前記端末デバイスが第１の指示情報に基づいて、目標ＲＲＣ状態に移行することとを含み、
前記第１のＲＲＣメッセージがＲＲＣ接続回復要求メッセージを含み、前記第２のＲＲＣメッセージに第１の指示情報が含まれ、前記第１の指示情報が前記端末デバイスの目標ＲＲＣ状態を示す。
【００１３】
本発明の実施例において、前記目標ＲＲＣ状態がＲＲＣ非アクティブ状態であり、前記第２のＲＲＣメッセージに前記ＲＲＣ非アクティブ状態に対応する構成情報が含まれない場合、前記端末デバイスが前記ＲＲＣ非アクティブ状態に移行した後、ローカルに記憶されたＲＲＣ非アクティブ状態に対応する構成情報を使用する。
【００１４】
本発明の実施例において、前記目標ＲＲＣ状態がＲＲＣ非アクティブ状態であり、前記第２のＲＲＣメッセージに前記ＲＲＣ非アクティブ状態に対応する構成情報が含まれる場合、前記端末デバイスが前記ＲＲＣ非アクティブ状態に移行した後、前記第２のＲＲＣメッセージに含まれる前記ＲＲＣ非アクティブ状態に対応する構成情報を使用する。
【００１５】
本発明の実施例において、前記ＲＲＣ非アクティブ状態に対応する構成情報は、
Ｉ−ＲＮＴＩ、ＲＡＮ通知領域、ＲＡＮ不連続受信周期( ＲＡＮ ＤＲＸ周期)、周期的ＲＡＮ通知領域更新のタイマのうちの少なくとも１つを含む。
【００１６】
本発明の実施例において、前記第２のＲＲＣメッセージは、ＲＲＣ接続回復メッセージ、ＲＲＣ接続リリースメッセージ、又は新たに定義されたＲＲＣメッセージを含む。
【００１７】
本発明の実施例において、前記第１のＲＲＣメッセージにはＲＲＣ接続回復の原因指示情報が含まれ、前記ＲＲＣ接続回復の原因指示情報は、前記ネットワークデバイスが前記端末デバイスの接続回復過程での前記目標ＲＲＣ状態を確定するために用いられる。
【００１８】
本発明の実施例において、前記目標ＲＲＣ状態は、ＲＲＣ接続状態、ＲＲＣ非アクティブ状態、又はＲＲＣアイドル状態である。
【００１９】
本発明の実施例におけるＲＲＣ状態の制御方法は、
ネットワークデバイスが端末デバイスにより送信された第１のＲＲＣメッセージを受信することと、
前記端末デバイスが前記第１の指示情報に基づいて、前記目標ＲＲＣ状態に移行するように、前記ネットワークデバイスが前記端末デバイスに第２のＲＲＣメッセージを送信することとを含み、
前記第１のＲＲＣメッセージがＲＲＣ接続回復要求メッセージを含み、
前記第２のＲＲＣメッセージに第１の指示情報が含まれ、前記第１の指示情報が前記端末デバイスの目標ＲＲＣ状態を示す。
【００２０】
本発明の実施例において、前記目標ＲＲＣ状態がＲＲＣ非アクティブ状態にある場合、前記第２のＲＲＣメッセージには前記ＲＲＣ非アクティブ状態に対応する構成情報が含まれなく、又は前記ＲＲＣ非アクティブ状態に対応する構成情報が含まれる。
【００２１】
本発明の実施例において、前記ＲＲＣ非アクティブ状態に対応する構成情報は、
Ｉ−ＲＮＴＩ、ＲＡＮ通知エリア、ＲＡＮ  ＤＲＸ周期、周期的ＲＡＮ通知エリア更新のタイマのうちの少なくとも１つを含む。
【００２２】
本発明の実施例において、前記第２のＲＲＣメッセージは、ＲＲＣ接続回復メッセージ、ＲＲＣ接続リリースメッセージ、又は新たに定義されたＲＲＣメッセージを含む。
【００２３】
本発明の実施例において、前記第１のＲＲＣメッセージにはＲＲＣ接続回復の原因指示情報が含まれ、前記ＲＲＣ接続回復の原因指示情報は、前記ネットワークデバイスが前記端末デバイスの接続回復過程での前記目標ＲＲＣ状態を確定するために用いられる。
【００２４】
本発明の実施例において、前記目標ＲＲＣ状態は、ＲＲＣ接続状態、ＲＲＣ非アクティブ状態、又はＲＲＣアイドル状態である。
【００２５】
本発明の実施例におけるＲＲＣ状態の制御装置は、
ネットワークデバイスに第１のＲＲＣメッセージを送信するように構成される送信ユニットと、
前記ネットワークデバイスにより送信された第２のＲＲＣメッセージを受信するように構成される受信ユニットと、
前記第１の指示情報に基づいて、端末デバイスが前記目標ＲＲＣ状態に移行するように制御するように構成される制御ユニットとを含み、
前記第１のＲＲＣメッセージがＲＲＣ接続回復要求メッセージを含み、前記第２のＲＲＣメッセージに第１の指示情報が含まれ、前記第１の指示情報が前記端末デバイスの目標ＲＲＣ状態を示す。
【００２６】
本発明の実施例において、前記目標ＲＲＣ状態がＲＲＣ非アクティブ状態であり、前記第２のＲＲＣメッセージに前記ＲＲＣ非アクティブ状態に対応する構成情報が含まれない場合、前記端末デバイスが前記ＲＲＣ非アクティブ状態に移行した後、ローカルに記憶されたＲＲＣ非アクティブ状態に対応する構成情報を使用する。
【００２７】
本発明の実施例において、前記目標ＲＲＣ状態がＲＲＣ非アクティブ状態であり、前記第２のＲＲＣメッセージに前記ＲＲＣ非アクティブ状態に対応する構成情報が含まれる場合、前記端末デバイスが前記ＲＲＣ非アクティブ状態に移行した後、前記第２のＲＲＣメッセージに含まれる前記ＲＲＣ非アクティブ状態に対応する構成情報を使用する。
【００２８】
本発明の実施例において、前記ＲＲＣ非アクティブ状態に対応する構成情報は、
Ｉ−ＲＮＴＩ、ＲＡＮ通知エリア、ＲＡＮ  ＤＲＸ周期、周期的ＲＡＮ通知エリア更新のタイマのうちの少なくとも１つを含む。
【００２９】
本発明の実施例において、前記第２のＲＲＣメッセージは、ＲＲＣ接続回復メッセージ、ＲＲＣ接続リリースメッセージ、又は新たに定義されたＲＲＣメッセージを含む。
【００３０】
本発明の実施例において、前記第１のＲＲＣメッセージにはＲＲＣ接続回復の原因指示情報が含まれ、前記ＲＲＣ接続回復の原因指示情報は、前記ネットワークデバイスが前記端末デバイスの接続回復過程での前記目標ＲＲＣ状態を確定するために用いられる。
【００３１】
本発明の実施例において、前記目標ＲＲＣ状態は、ＲＲＣ接続状態、ＲＲＣ非アクティブ状態、又はＲＲＣアイドル状態である。
【００３２】
本発明の実施例におけるＲＲＣ状態の制御装置は、
端末デバイスにより送信された第１のＲＲＣメッセージを受信するように構成される受信ユニットと、
前記端末デバイスが前記第１の指示情報に基づいて前記目標ＲＲＣ状態に移行するように、前記端末デバイスに２のＲＲＣメッセージを送信するように構成される送信ユニットとを含み、
前記第１のＲＲＣメッセージがＲＲＣ接続回復要求メッセージを含み、前記第２のＲＲＣメッセージに第１の指示情報が含まれ、前記第１の指示情報が前記端末デバイスの目標ＲＲＣ状態を示す。
【００３３】
本発明の実施例において、前記目標ＲＲＣ状態がＲＲＣ非アクティブ状態にある場合、前記第２のＲＲＣメッセージには前記ＲＲＣ非アクティブ状態に対応する構成情報が含まれなく、又は前記ＲＲＣ非アクティブ状態に対応する構成情報が含まれる。
【００３４】
本発明の実施例において、前記ＲＲＣ非アクティブ状態に対応する構成情報は、
Ｉ−ＲＮＴＩ、ＲＡＮ通知エリア、ＲＡＮ  ＤＲＸ周期、周期的ＲＡＮ通知エリア更新のタイマのうちの少なくとも１つを含む。
【００３５】
本発明の実施例において、前記第２のＲＲＣメッセージは、ＲＲＣ接続回復メッセージ、ＲＲＣ接続リリースメッセージ、又は新たに定義されたＲＲＣメッセージを含む。
【００３６】
本発明の実施例において、前記第１のＲＲＣメッセージにはＲＲＣ接続回復の原因指示情報が含まれ、前記装置は、さらに、
前記ＲＲＣ接続回復の原因指示情報に基づいて前記端末デバイスの接続回復過程での前記目標ＲＲＣ状態を確定するように構成される確定ユニットを含む。
【００３７】
本発明の実施例において、前記目標ＲＲＣ状態は、ＲＲＣ接続状態、ＲＲＣ非アクティブ状態、又はＲＲＣアイドル状態である。
【００３８】
本発明の実施例におけるコンピュータ記憶媒体は、コンピュータ実行可能命令を含み、当該コンピュータ実行可能命令がプロセッサにより実行されると、以上のＲＲＣ状態の制御方法を実現する。
【００３９】
本発明の実施例における技術案は、端末デバイスがネットワークデバイスに第１のＲＲＣメッセージを送信することと、前記端末デバイスが前記ネットワークデバイスにより送信された第２のＲＲＣメッセージを受信することと、前記端末デバイスが前記第１の指示情報に基づいて、前記目標ＲＲＣ状態に移行することとを含み、前記第１のＲＲＣメッセージがＲＲＣ接続回復要求メッセージを含み、前記第２のＲＲＣメッセージに第１の指示情報が含まれ、前記第１の指示情報が前記端末デバイスの目標ＲＲＣ状態を示す。本発明の実施例の技術的解決策によれば、ＵＥがＲＲＣ接続の回復を開始する過程で、ネットワーク側が端末の目標ＲＲＣ状態を制御することで、端末のＲＲＣ状態移行手順の制御を実現し、また、端末がＲＲＣ非アクティブ状態に入るための構成情報をネゴシエーションし、ＲＲＣ状態の制御や管理が可能になるという目的を達成する。
【図面の簡単な説明】
【００４０】
本明細書に記載された図面は、本発明の更なる理解を提供するために提供されたものであり、本願の一部を構成し、本発明の例示的な実施形態及びその説明は、本発明を説明するためのものであり、本発明を限定するものではない。
【図１】ＲＲＣ接続回復過程の模式図である。
【図２】本発明の実施例におけるＲＲＣ状態の制御方法のフローチャート一である。
【図３】本発明の実施例におけるＲＲＣ状態の制御方法のフローチャート二である。
【図４】本発明の実施例におけるＲＲＣ状態の制御方法のフローチャート三である。
【図５】本発明の実施例におけるＲＲＣ状態の制御方法のフローチャート四である。
【図６】本発明の実施例におけるＲＲＣ状態の制御装置の構成図一である。
【図７】本発明の実施例におけるＲＲＣ状態の制御装置の構成図二である。
【図８】本発明の実施例におけるコンピュータ装置の構成図である。
【発明を実施するための形態】
【００４１】
本発明の実施例の特徴と技術内容をより詳細に理解できるように、以下、添付図面を参照して本発明の実施例の実装を詳細に説明するが、添付図面は、説明のためのものであり、本発明の実施例を限定するものではない。
【００４２】
なお、本発明の実施形態に係る技術的思想は、主に５Ｇ移動通信システムに適用されるが、勿論、本発明の実施形態に係る技術的思想は、５Ｇ移動通信システムに限定されず、他の移動通信システムにも適用可能である。５Ｇ移動通信システムにおける主な適用シーンを以下に説明する。
１) ｅＭＢＢシーン：ｅＭＢＢは、ユーザがマルチメディアコンテンツ、サービス、及びデータを入手することを目指し、そのトラフィック需要は非常に急速に増加する。ｅＭＢＢは、屋内、市区、農村などの異なる現場に配備することが可能であり、そのサービス能力や需要の差も比較的大きいため、具体的な配備現場に合わせてサービスを分析する必要がある。
２) ＵＲＬＬＣシーン：ＵＲＬＬＣの典型的な用途は、工業自動化、電気自動化、遠隔医療操作、交通安全保障などを含む。
３) ｍＭＴＣシーン：ＵＲＬＬＣの典型的な特徴は、高い接続密度、少ないデータ量、遅延非感受性トラフィック、モジュールの低コスト及び長い寿命などである。
【００４３】
５Ｇネットワーク環境における３つのＲＲＣ状態について以下に説明する。
１) ＲＲＣ＿ＩＤＬＥ状態：モビリティは、ＵＥによるセル選択の再選択であり、ページングはＣＮにより開始され、ページングエリアはＣＮにより構成される。基地局側にはＵＥ ＡＳコンテキストは存在しない。ＲＲＣ接続は存在しない。
２) ＲＲＣ＿ＣＯＮＮＥＣＴＥＤ状態：ＲＲＣ接続があり、基地局とＵＥにはＵＥ ＡＳコンテキストがある。ネットワーク側はＵＥの位置が特定セルレベルであることを知っている。モビリティは、ネットワーク側制御のモビリティである。ＵＥと基地局との間でユニキャストデータが伝送されてもよい。
３) ＲＲＣ＿ＩＮＡＣＴＩＶＥ状態：モビリティはＵＥによるセル選択の再選択であり、ＣＮとＲＡＮとの間の接続が存在し、ＵＥ ＡＳコンテキストはある基地局に存在し、ページングはＲＡＮによってトリガされ、ＲＡＮによるページングエリアはＲＡＮによって管理され、ネットワーク側はＵＥの位置がＲＡＮによるページングエリアレベルであることを知る。
【００４４】
図１はＲＲＣ接続回復過程の模式図であり、図１に示すように、ＲＲＣ接続回復過程は以下のステップ１０１〜１０７を含む
ステップ１０１において、ＵＥは、ＩＮＡＣＴＩＶＥ状態にあり、ＲＲＣ接続を回復する。
【００４５】
ステップ１０２において、ＵＥは、ｇＮＢにプリアンブルを送信する。
【００４６】
ステップ１０３において、ｇＮＢがランダムアクセス応答( ＲＡＲ、Ｒａｎｄｏｍ Ａｃｃｅｓｓ Ｒｅｓｐｏｎｓｅ )をＵＥに送信する。
【００４７】
ステップ１０４において、ＵＥは、ｇＮＢにＲＲＣ回復要求メッセージ( ＲＲＣ Ｃｏｎｎｅｃｔｉｏｎ Ｒｅｓｕｍｅ Ｒｅｑｕｅｓｔ )を送信する。
【００４８】
ステップ１０５において、ｇＮＢは、コンテキスト情報をアンカーｇＮＢ(ａｎｃｈｏｒ ｇＮＢ)に要求する。
【００４９】
ステップ１０６において、ｇＮＢがＲＲＣ接続回復メッセージ( ＲＲＣ Ｃｏｎｎｅｃｔｉｏｎ Ｒｅｓｕｍｅ )をＵＥに送信する。
【００５０】
ステップ１０７において、ＵＥは、ＲＲＣ接続( ＲＲＣ＿ＣＯＮＮＥＣＴＥＤ )状態に入る。
【００５１】
本発明の実施例は、ネットワーク側から、ＵＥをＲＲＣ＿ＣＯＮＮＥＣＴＥＤ状態、ＲＲＣ＿ＩＮＡＣＴＩＶＥ状態、ＲＲＣ＿ＩＤＬＥ状態のいずれかに制御することを目的とする。
【００５２】
図２は本発明の実施例におけるＲＲＣ状態の制御方法のフローチャート一であり、図２に示すように、前記ＲＲＣ状態の制御方法は、ステップ２０１〜２０３を含む。
【００５３】
ステップ２０１において、端末デバイスがネットワークデバイスに第１のＲＲＣメッセージを送信し、前記第１のＲＲＣメッセージがＲＲＣ接続回復要求メッセージを含む。
【００５４】
本発明の実施例において、前記端末は、携帯電話、タブレット、ノート型、デスクトップなど、ネットワーク機器と通信可能な任意の機器であってよい。
【００５５】
本発明の実施例において、前記ネットワークデバイスは、例えば５ＧのｇＮＢ等の基地局である。
【００５６】
本発明の実施例において、端末デバイスは、ＲＲＣ接続回復過程を開始する際、まずランダムアクセス手順を開始し、その後、ネットワーク側にＲＲＣ接続回復要求メッセージ(第１のＲＲＣメッセージに対応)をＭＳＧ３で送信する。
【００５７】
ステップ２０２において、前記端末デバイスが前記ネットワークデバイスにより送信された第２のＲＲＣメッセージを受信し、前記第２のＲＲＣメッセージに第１の指示情報が含まれ、前記第１の指示情報が前記端末デバイスの目標ＲＲＣ状態を示す。
【００５８】
本発明の実施例において、前記第２のＲＲＣメッセージは、ＲＲＣ接続回復メッセージ、ＲＲＣ接続リリースメッセージ、又は新たに定義されたＲＲＣメッセージを含む。
【００５９】
一実施形態において、前記第１のＲＲＣメッセージにはＲＲＣ接続回復の原因指示情報が含まれ、前記ＲＲＣ接続回復の原因指示情報は、前記ネットワークデバイスが前記端末デバイスの接続回復過程での前記目標ＲＲＣ状態を確定するために用いられる。
【００６０】
ステップ２０３において、前記端末デバイスが前記第１の指示情報に基づいて、前記目標ＲＲＣ状態に移行する。
【００６１】
本発明の実施例において、前記目標ＲＲＣ状態は、ＲＲＣ接続状態、ＲＲＣ非アクティブ状態、又はＲＲＣアイドル状態である。
【００６２】
一実施形態において、前記目標ＲＲＣ状態がＲＲＣ非アクティブ状態であり、前記第２のＲＲＣメッセージに前記ＲＲＣ非アクティブ状態に対応する構成情報が含まれない場合、前記端末デバイスが前記ＲＲＣ非アクティブ状態に移行した後、ローカルに記憶されたＲＲＣ非アクティブ状態に対応する構成情報を使用する。
【００６３】
一実施形態において、前記目標ＲＲＣ状態がＲＲＣ非アクティブ状態であり、前記第２のＲＲＣメッセージに前記ＲＲＣ非アクティブ状態に対応する構成情報が含まれる場合、前記端末デバイスが前記ＲＲＣ非アクティブ状態に移行した後、前記第２のＲＲＣメッセージに含まれる前記ＲＲＣ非アクティブ状態に対応する構成情報を使用する。
【００６４】
上記の技術案において、前記ＲＲＣ非アクティブ状態に対応する構成情報は、
Ｉ−ＲＮＴＩ、ＲＡＮ通知エリア、ＲＡＮ  ＤＲＸ周期、周期的ＲＡＮ通知エリア更新のタイマのうちの少なくとも１つを含む。
【００６５】
図３は本発明の実施例におけるＲＲＣ状態の制御方法のフローチャート二であり、図３に示すように、前記ＲＲＣ状態の制御方法は、ステップ３０１〜３０８を含む。
【００６６】
ステップ３０１において、ＵＥは、ＩＮＡＣＴＩＶＥ状態にあり、ＲＲＣ接続を回復する。
【００６７】
ステップ３０２において、ＵＥは、ｇＮＢにプリアンブルを送信する。
【００６８】
ステップ３０３において、ｇＮＢは、ランダムアクセス応答( ＲＡＲ、Ｒａｎｄｏｍ Ａｃｃｅｓｓ Ｒｅｓｐｏｎｓｅ )をＵＥに送信する。
【００６９】
ステップ３０４において、ＵＥは、ｇＮＢにＲＲＣ回復要求メッセージ( ＲＲＣ Ｃｏｎｎｅｃｔｉｏｎ Ｒｅｓｕｍｅ Ｒｅｑｕｅｓｔ )を送信する。
【００７０】
ｇＮＢは、ＲＲＣ接続回復要求メッセージ内のＲＲＣ接続回復の原因指示に従って、ＵＥの今回のＲＲＣ接続回復過程内の目標ＲＲＣ状態を決定する。
【００７１】
ステップ３０５において、ｇＮＢがＵＥコンテキスト情報をアンカーｇＮＢ(ａｎｃｈｏｒ ｇＮＢ)に要求する。
【００７２】
ステップ３０６において、ｇＮＢは、ＵＥの目標ＲＲＣ状態を示す指示情報を搬送するＲＲＣ接続回復メッセージ( ＲＲＣ Ｃｏｎｎｅｃｔｉｏｎ Ｒｅｓｕｍｅ )をＵＥに送信する。
【００７３】
ステップ３０７において、ＵＥは、指示に従って、目標ＲＲＣ状態に入る。
【００７４】
ここで、ＲＲＣ＿ＩＮＡＣＴＩＶＥ状態に対応する構成情報がＲＲＣ接続回復メッセージに搬送されず、ネットワーク側が、ＵＥがＲＲＣ＿ＩＮＡＣＴＩＶＥ状態に入ることを示す場合、ＵＥは、デフォルトで、元々記憶されていたＲＲＣ＿ＩＮＡＣＴＩＶＥ状態に対応する構成情報を使用する。
【００７５】
ステップ３０８において、ＵＥは、ｇＮＢにＲＲＣ接続回復完了メッセージ( ＲＲＣ Ｃｏｎｎｅｃｔｉｏｎ Ｒｅｓｕｍｅ Ｃｏｍｐｌｅｔｅ )を送信する。
【００７６】
ここで、ＵＥは、ステップ３０８を実行しなくてもよい。
【００７７】
図４は本発明の実施例におけるＲＲＣ状態の制御方法のフローチャート三であり、図４に示すように、前記ＲＲＣ状態の制御方法は、ステップ４０１〜４０７を含む。
【００７８】
ステップ４０１において、ＵＥは、ＩＮＡＣＴＩＶＥ状態にあり、ＲＲＣ接続を回復する。
【００７９】
ステップ４０２において、ＵＥは、ｇＮＢにプリアンブルを送信する。
【００８０】
ステップ４０３において、ｇＮＢがランダムアクセス応答( ＲＡＲ、Ｒａｎｄｏｍ Ａｃｃｅｓｓ Ｒｅｓｐｏｎｓｅ )をＵＥに送信する。
【００８１】
ステップ４０４において、ＵＥは、ｇＮＢにＲＲＣ回復要求メッセージ( ＲＲＣ Ｃｏｎｎｅｃｔｉｏｎ Ｒｅｓｕｍｅ Ｒｅｑｕｅｓｔ )を送信する。
【００８２】
ｇＮＢは、ＲＲＣ接続回復要求メッセージ内のＲＲＣ接続回復の原因指示に従って、ＵＥの今回のＲＲＣ接続回復過程内の目標ＲＲＣ状態を決定する。
【００８３】
ステップ４０５において、ｇＮＢがＵＥコンテキスト情報をアンカーｇＮＢ(ａｎｃｈｏｒ ｇＮＢ)に要求する。
【００８４】
ステップ４０６において、ｇＮＢは、ＵＥの目標ＲＲＣ状態を示す指示情報を搬送するＲＲＣ接続解放メッセージ( ＲＲＣ Ｃｏｎｎｅｃｔｉｏｎ Ｒｅｌｅａｓｅ )をＵＥに送信する。
【００８５】
ステップ４０７において、ＵＥは、指示に従って目標ＲＲＣ状態に入る。
【００８６】
ここで、ＲＲＣ＿ＩＮＡＣＴＩＶＥ状態に対応する構成情報がＲＲＣ接続回復メッセージに搬送されず、ネットワーク側が、ＵＥがＲＲＣ ＿ ＩＮＡＣＴＩＶＥ状態に入ることを示す場合、ＵＥは、デフォルトで、元々記憶されていたＲＲＣ ＿ ＩＮＡＣＴＩＶＥ状態に対応する構成情報を使用する。
【００８７】
図５は本発明の実施例におけるＲＲＣ状態の制御方法のフローチャート四であり、図５に示すように、前記ＲＲＣ状態の制御方法は、ステップ５０１〜５０２を含む。
【００８８】
ステップ５０１において、ネットワークデバイスが端末デバイスにより送信された第１のＲＲＣメッセージを受信し、前記第１のＲＲＣメッセージがＲＲＣ接続回復要求メッセージを含む。
【００８９】
ステップ５０２において、前記端末デバイスが前記第１の指示情報に基づいて、前記目標ＲＲＣ状態に移行するように、前記ネットワークデバイスが前記端末デバイスに第２のＲＲＣメッセージを送信し、前記第２のＲＲＣメッセージに第１の指示情報が含まれ、前記第１の指示情報が前記端末デバイスの目標ＲＲＣ状態を示す。
【００９０】
一実施形態において、前記目標ＲＲＣ状態がＲＲＣ非アクティブ状態にある場合、前記第２のＲＲＣメッセージには前記ＲＲＣ非アクティブ状態に対応する構成情報が含まれなく、又は前記ＲＲＣ非アクティブ状態に対応する構成情報が含まれる。
【００９１】
一実施形態において、前記ＲＲＣ非アクティブ状態に対応する構成情報は、
Ｉ−ＲＮＴＩ、ＲＡＮ通知エリア、ＲＡＮ  ＤＲＸ周期、周期的ＲＡＮ通知エリア更新のタイマのうちの少なくとも１つを含む。
【００９２】
一実施形態において、前記第２のＲＲＣメッセージは、ＲＲＣ接続回復メッセージ、ＲＲＣ接続リリースメッセージ、又は新たに定義されたＲＲＣメッセージを含む。
【００９３】
一実施形態において、前記第１のＲＲＣメッセージにはＲＲＣ接続回復の原因指示情報が含まれ、前記ＲＲＣ接続回復の原因指示情報は、前記ネットワークデバイスが前記端末デバイスの接続回復過程での前記目標ＲＲＣ状態を確定するために用いられる。
【００９４】
一実施形態において、前記目標ＲＲＣ状態は、ＲＲＣ接続状態、ＲＲＣ非アクティブ状態、又はＲＲＣアイドル状態である。
【００９５】
図６は本発明の実施例におけるＲＲＣ状態の制御装置の構成図一であり、図６に示すように、前記ＲＲＣ状態の制御装置は、送信ユニット６０１、受信ユニット６０２及び制御ユニット６０３を含む。
【００９６】
送信ユニット６０１は、ネットワークデバイスに第１のＲＲＣメッセージを送信するように構成され、前記第１のＲＲＣメッセージがＲＲＣ接続回復要求メッセージを含む。
【００９７】
受信ユニット６０２は、前記ネットワークデバイスにより送信された第２のＲＲＣメッセージを受信するように構成され、前記第２のＲＲＣメッセージに第１の指示情報が含まれ、前記第１の指示情報が前記端末デバイスの目標ＲＲＣ状態を示す。
【００９８】
制御ユニット６０３は、前記第１の指示情報に基づいて、制御端末デバイスが前記目標ＲＲＣ状態に移行するように構成される。
【００９９】
一実施形態において、前記目標ＲＲＣ状態がＲＲＣ非アクティブ状態であり、前記第２のＲＲＣメッセージに前記ＲＲＣ非アクティブ状態に対応する構成情報が含まれない場合、前記端末デバイスが前記ＲＲＣ非アクティブ状態に移行した後、ローカルに記憶されたＲＲＣ非アクティブ状態に対応する構成情報を使用する。
【０１００】
一実施形態において、前記目標ＲＲＣ状態がＲＲＣ非アクティブ状態であり、前記第２のＲＲＣメッセージに前記ＲＲＣ非アクティブ状態に対応する構成情報が含まれる場合、前記端末デバイスが前記ＲＲＣ非アクティブ状態に移行した後、前記第２のＲＲＣメッセージに含まれる前記ＲＲＣ非アクティブ状態に対応する構成情報を使用する。
【０１０１】
一実施形態において、前記ＲＲＣ非アクティブ状態に対応する構成情報は、
Ｉ−ＲＮＴＩ、ＲＡＮ通知エリア、ＲＡＮ  ＤＲＸ周期、周期的ＲＡＮ通知エリア更新のタイマのうちの少なくとも１つを含む。
【０１０２】
一実施形態において、前記第２のＲＲＣメッセージは、ＲＲＣ接続回復メッセージ、ＲＲＣ接続リリースメッセージ、又は新たに定義されたＲＲＣメッセージを含む。
【０１０３】
一実施形態において、前記第１のＲＲＣメッセージにはＲＲＣ接続回復の原因指示情報が含まれ、前記ＲＲＣ接続回復の原因指示情報は、前記ネットワークデバイスが前記端末デバイスの接続回復過程での前記目標ＲＲＣ状態を確定するために用いられる。
【０１０４】
一実施形態において、前記目標ＲＲＣ状態は、ＲＲＣ接続状態、ＲＲＣ非アクティブ状態、又はＲＲＣアイドル状態である。
【０１０５】
図６に示されるＲＲＣ状態の制御装置における各ユニットの実装機能は、前述のＲＲＣ状態の制御方法に関する説明を参照することによって理解され得ることが、当業者には理解されよう。図６に示すＲＲＣ状態の制御装置における各部の機能は、プロセッサ上で動作するプログラムにより実現されてもよいし、具体的な論理回路により実現されてもよい。
【０１０６】
図７は本発明の実施例におけるＲＲＣ状態の制御装置の構成図二であり、図７に示すように、前記ＲＲＣ状態の制御装置は、受信ユニット７０１及び送信ユニット７０２を含む。
【０１０７】
受信ユニット７０１は、端末デバイスにより送信された第１のＲＲＣメッセージを受信するように構成され、前記第１のＲＲＣメッセージがＲＲＣ接続回復要求メッセージを含む。
【０１０８】
送信ユニット７０２は、前記端末デバイスに第２のＲＲＣメッセージを送信するように構成され、前記第２のＲＲＣメッセージに第１の指示情報が含まれ、前記第１の指示情報が前記端末デバイスの目標ＲＲＣ状態を示し、これによって、前記端末デバイスが前記第１の指示情報に基づいて、前記目標ＲＲＣ状態に移行する。
【０１０９】
一実施形態において、前記目標ＲＲＣ状態がＲＲＣ非アクティブ状態にある場合、前記第２のＲＲＣメッセージには前記ＲＲＣ非アクティブ状態に対応する構成情報が含まれなく、又は前記ＲＲＣ非アクティブ状態に対応する構成情報が含まれる。
【０１１０】
一実施形態において、前記ＲＲＣ非アクティブ状態に対応する構成情報は、
Ｉ−ＲＮＴＩ、ＲＡＮ通知エリア、ＲＡＮ  ＤＲＸ周期、周期的ＲＡＮ通知エリア更新のタイマのうちの少なくとも１つを含む。
【０１１１】
一実施形態において、前記第２のＲＲＣメッセージは、ＲＲＣ接続回復メッセージ、ＲＲＣ接続リリースメッセージ、又は新たに定義されたＲＲＣメッセージを含む。
【０１１２】
一実施形態において、前記第１のＲＲＣメッセージにはＲＲＣ接続回復の原因指示情報が含まれ、前記装置は、さらに、
前記ＲＲＣ接続回復の原因指示情報に基づいて、前記端末デバイスの接続回復過程の前記目標ＲＲＣ状態を確定するように構成される確定ユニット７０３を含む。
【０１１３】
一実施形態において、前記目標ＲＲＣ状態は、ＲＲＣ接続状態、ＲＲＣ非アクティブ状態、又はＲＲＣアイドル状態である。
【０１１４】
図７に示されるＲＲＣ状態の制御装置における各ユニットの実装機能は、前述のＲＲＣ状態の制御方法に関する説明を参照することによって理解され得ることが、当業者には理解されよう。図７に示すＲＲＣ状態の制御装置における各部の機能は、プロセッサ上で動作するプログラムにより実現されてもよいし、具体的な論理回路により実現されてもよい。
【０１１５】
本発明の実施例による前記ＲＲＣ状態の制御装置は、ソフトウェア機能モジュールの形態で具現され、独立した製品として販売または使用される場合、一つのコンピュータ読み取り可能な記録媒体に格納されてもよい。このような理解に基づいて、本発明の実施形態の技術的解決策の本質または従来技術に寄与する部分は、本発明の様々な実施形態による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、Ｕ字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本発明の実施形態は、ハードウェアとソフトウェアのいかなる組み合わせにも限定されない。
【０１１６】
従って、本発明の実施例は、プロセッサによって実行されると、本発明の実施例による上述したＲＲＣ状態の制御方法を実現するコンピュータ実行可能命令を記憶したコンピュータ記憶媒体を更に提供する。
【０１１７】
図８は、本発明の実施の形態に係るコンピュータ装置の構成を示す図であり、このコンピュータ装置は、端末デバイスであってもよいし、ネットワーク装置であってもよい。図８に示すように、コンピュータ装置１００は、１つ又は複数の(図面には１つのみ示す)プロセッサ１００２ (プロセッサ１００２は、マイクロプロセッサ( ＭＣＵ、Ｍｉｃｒｏ Ｃｏｎｔｒｏｌｌｅｒ Ｕｎｉｔ )又はプログラマブルロジックデバイス( ＦＰＧＡ、Ｆｉｅｌｄ Ｐｒｏｇｒａｍｍａｂｌｅ Ｇａｔｅ Ａｒｒａｙ )等の処理装置を含み得るが、これらに限定されない)、データを記憶するためのメモリ１００４、及び通信機能のための伝送装置１００６を含み得る。図８に示す構成は、例示であり、上述した電子装置の構成に限定されないことは、当業者に理解されるところである。例えば、コンピュータ装置１００は、図８に示す構成よりも多いか少ない構成要素をさらに含んでもよく、又は図８に示す構成と異なる構成を有してもよい。
【０１１８】
メモリ１００４は、本発明の実施形態における方法に対応するプログラム命令/モジュールのような、アプリケーションのソフトウェアプログラム及びモジュールを格納するために使用されてもよく、プロセッサ１００２は、メモリ１００４に格納されたソフトウェアプログラム及びモジュールを実行することによって、様々な機能アプリケーション及びデータ処理を実行し、すなわち、上記の方法を実現する。メモリ１００４は、高速ランダムアクセスメモリを含んでもよく、１つ以上の磁気記憶デバイス、フラッシュメモリ、または他の不揮発性ソリッドステートメモリなどの不揮発性メモリを含んでもよい。いくつかの例では、メモリ１００４は、プロセッサ１００２に対してリモートに配置されたメモリをさらに含んでもよく、メモリは、ネットワークを介してコンピュータデバイス１００に接続されてもよい。上記ネットワークの例としては、インターネット、イントラネット、ローカルエリアネットワーク、移動体通信ネットワーク、及びこれらの組み合わせが挙げられるが、これらに限定されない。
【０１１９】
伝送装置１００６は、ネットワークを介してデータを送受信するための装置である。上記のネットワークの具体例は、コンピュータ装置１００の通信プロバイダが提供する無線ネットワークを含んでもよい。一例において、伝送装置１００６は、インターネットと通信可能に基地局を介して他のネットワークデバイスに接続可能なネットワークアダプタ( ＮＩＣ、Ｎｅｔｗｏｒｋ Ｉｎｔｅｒｆａｃｅ Ｃｏｎｔｒｏｌｌｅｒ )を含む。一例では、伝送装置１００６は、無線方式でインターネットと通信するための無線周波数( ＲＦ、Ｒａｄｉｏ Ｆｒｅｑｕｅｎｃｙ )モジュールであり得る。
【０１２０】
本発明の実施例に記載した技術的手段は、矛盾なき限り、任意に組み合わせることができる。
【０１２１】
本発明によって提供されるいくつかの実施形態において、開示される方法およびスマートデバイスは、他の方法で実現されてもよいことが理解されるべきである。なお、以上の装置の実施形態はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【０１２２】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよい。また、本実施形態の目的を達成する手段の一部又は全部を、必要に応じて選択することができる。
【０１２３】
また、本発明の各実施例における各機能部は、全てが１つの第２の処理部に集積されてもよいし、各部がそれぞれ単独で１つのユニットとして構成されてもよいし、２つ以上のユニットが１つのユニットに集積されてもよい。上記の統合されたユニットは、ハードウェアの形態で実現されてもよいし、ハードウェア及びソフトウェア機能ユニットの形態で実現されてもよい。
【０１２４】
以上、本発明の具体的な実施形態について説明したが、本発明の技術的範囲はこれに限定されるものではなく、本発明が属する技術分野で通常の知識を有する者であれば、本発明の技術的範囲内で容易に変更や置換をなし得ることは自明である。
【図１】
2021520655.tif 000003
【図２】
2021520655.tif 000004
【図３】
2021520655.tif 000005
【図４】
2021520655.tif 000006
【図５】
2021520655.tif 000007
【図６】
2021520655.tif 000008
【図７】
2021520655.tif 000009
【図８】
2021520655.tif 000010
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
端末デバイスがネットワークデバイスに第１のＲＲＣメッセージを送信することと、
前記端末デバイスが前記ネットワークデバイスにより送信された第２のＲＲＣメッセージを受信することと、
前記端末デバイスが第１の指示情報に基づいて、目標ＲＲＣ状態に移行することとを含み、
前記第１のＲＲＣメッセージがＲＲＣ接続回復要求メッセージを含み、
前記第２のＲＲＣメッセージに第１の指示情報が含まれ、前記第１の指示情報が前記端末デバイスの目標ＲＲＣ状態を示す
ことを特徴とするＲＲＣ状態の制御方法。
【請求項２】
前記目標ＲＲＣ状態がＲＲＣ非アクティブ状態であり、前記第２のＲＲＣメッセージに前記ＲＲＣ非アクティブ状態に対応する構成情報が含まれない場合、前記端末デバイスが前記ＲＲＣ非アクティブ状態に移行した後、ローカルに記憶されたＲＲＣ非アクティブ状態に対応する構成情報を使用する
ことを特徴とする請求項１に記載のＲＲＣ状態の制御方法。
【請求項３】
前記目標ＲＲＣ状態がＲＲＣ非アクティブ状態であり、前記第２のＲＲＣメッセージに前記ＲＲＣ非アクティブ状態に対応する構成情報が含まれる場合、前記端末デバイスが前記ＲＲＣ非アクティブ状態に移行した後、前記第２のＲＲＣメッセージに含まれる前記ＲＲＣ非アクティブ状態に対応する構成情報を使用する
ことを特徴とする請求項１に記載のＲＲＣ状態の制御方法。
【請求項４】
前記ＲＲＣ非アクティブ状態に対応する構成情報は、
Ｉ−ＲＮＴＩ、ＲＡＮ通知エリア、ＲＡＮ  ＤＲＸ周期、周期的ＲＡＮ通知エリア更新のタイマのうちの少なくとも１つを含む
ことを特徴とする請求項２又は３に記載のＲＲＣ状態の制御方法。
【請求項５】
前記第２のＲＲＣメッセージは、ＲＲＣ接続回復メッセージ、ＲＲＣ接続リリースメッセージ、又は新たに定義されたＲＲＣメッセージを含む
ことを特徴とする請求項１〜４のいずれか１項に記載のＲＲＣ状態の制御方法。
【請求項６】
前記第１のＲＲＣメッセージにはＲＲＣ接続回復の原因指示情報が含まれ、前記ＲＲＣ接続回復の原因指示情報は、前記ネットワークデバイスが前記端末デバイスの接続回復過程での前記目標ＲＲＣ状態を確定するために用いられる
ことを特徴とする請求項１〜５のいずれか１項に記載のＲＲＣ状態の制御方法。
【請求項７】
前記目標ＲＲＣ状態は、ＲＲＣ接続状態、ＲＲＣ非アクティブ状態、又はＲＲＣアイドル状態である
ことを特徴とする請求項１〜６のいずれか1項に記載のＲＲＣ状態の制御方法。
【請求項８】
ネットワークデバイスが端末デバイスにより送信された第１のＲＲＣメッセージを受信することと、
前記端末デバイスが第１の指示情報に基づいて目標ＲＲＣ状態に移行するように、前記ネットワークデバイスが前記端末デバイスに第２のＲＲＣメッセージを送信することとを含み、
前記第１のＲＲＣメッセージがＲＲＣ接続回復要求メッセージを含み、前記第２のＲＲＣメッセージに第１の指示情報が含まれ、前記第１の指示情報が前記端末デバイスの目標ＲＲＣ状態を示す
ことを特徴とするＲＲＣ状態の制御方法。
【請求項９】
前記目標ＲＲＣ状態がＲＲＣ非アクティブ状態にある場合、前記第２のＲＲＣメッセージには前記ＲＲＣ非アクティブ状態に対応する構成情報が含まれなく、又は前記ＲＲＣ非アクティブ状態に対応する構成情報が含まれる
ことを特徴とする請求項８に記載のＲＲＣ状態の制御方法。
【請求項１０】
前記ＲＲＣ非アクティブ状態に対応する構成情報は、
Ｉ−ＲＮＴＩ、ＲＡＮ通知エリア、ＲＡＮ  ＤＲＸ周期、周期的ＲＡＮ通知エリア更新のタイマのうちの少なくとも１つを含む
ことを特徴とする請求項９に記載のＲＲＣ状態の制御方法。
【請求項１１】
前記第２のＲＲＣメッセージは、ＲＲＣ接続回復メッセージ、ＲＲＣ接続リリースメッセージ、又は新たに定義されたＲＲＣメッセージを含む
ことを特徴とする請求項８〜１０のいずれか１項に記載のＲＲＣ状態の制御方法。
【請求項１２】
前記第１のＲＲＣメッセージにはＲＲＣ接続回復の原因指示情報が含まれ、前記ＲＲＣ接続回復の原因指示情報は、前記ネットワークデバイスが前記端末デバイスの接続回復過程での前記目標ＲＲＣ状態を確定するために用いられる
ことを特徴とする請求項８〜１１のいずれか１項に記載のＲＲＣ状態の制御方法。
【請求項１３】
前記目標ＲＲＣ状態は、ＲＲＣ接続状態、ＲＲＣ非アクティブ状態、又はＲＲＣアイドル状態である
ことを特徴とする請求項８〜１２のいずれか１項に記載のＲＲＣ状態の制御方法。
【請求項１４】
請求項１〜１３のいずれか1項に記載のＲＲＣ状態の制御方法を実行する
ことを特徴とするＲＲＣ状態の制御装置。
【国際調査報告】
2021520655.tif 000011
2021520655.tif 000012
2021520655.tif 000013
2021520655.tif 000014